(57)【要約】      （修正有）【課題】サスペンションワイヤを固定する接着剤が不要に流れることを防止する。【解決手段】対物レンズを保持するホルダと、ホルダを変位させるコイルと、一端がコイルの一端と半田によって接続されると共に、ホルダがフォーカス方向又はトラッキング方向に変位するようにホルダを支持するサスペンションワイヤと、を備え、ホルダは、コイルの一端４１１とサスペンションワイヤ２４Ａの一端とが支持されるようにホルダから突出する第１突片３４Ａと、サスペンションワイヤの長手方向の第１突片から離れた位置において、サスペンションワイヤが挿通されるようにホルダから突出する第２突片５２と、第２突片に対してサスペンションワイヤが固定されるように第２突片における第１突片側の面に塗布される接着剤５６が、第１突片に向かって一定距離以上流れるのを防止する、第１突片と第２突片との間に設けられる防止部５１と、を有する。【選択図】図５
2014164772.tif 000002
【特許請求の範囲】
【請求項１】
対物レンズを保持するホルダと、
前記ホルダに装着され、前記ホルダを光ディスクのフォーカス方向又はトラッキング方向に変位させるコイルと、
一端が前記コイルの一端と半田によって接続されると共に、前記ホルダが前記フォーカス方向又は前記トラッキング方向に変位するように前記ホルダを支持するサスペンションワイヤと、を備え、
前記ホルダは、
前記コイルの一端と前記サスペンションワイヤの一端とが支持されるように前記ホルダから突出する第１突片と、
前記サスペンションワイヤの長手方向の前記第１突片から離れた位置において、前記サスペンションワイヤが挿通されるように前記ホルダから突出する第２突片と、
前記第２突片に対して前記サスペンションワイヤが固定されるように前記第２突片における前記第１突片側の面に塗布される接着剤が、前記第１突片に向かって一定距離以上流れるのを防止する、前記第１突片と前記第２突片との間に設けられる防止部と、を有する
ことを特徴とする対物レンズ駆動装置。
【請求項２】
前記防止部は、前記ホルダから突出し、前記接着剤が前記第１突片に向かって前記一定距離以上流れるのを堰き止める第３突片であり、
前記第３突片の前記ホルダからの高さは、前記サスペンションワイヤの前記ホルダからの高さよりも低い
ことを特徴とする請求項１に記載の対物レンズ駆動装置。
【請求項３】
前記防止部は、前記ホルダから突出し、前記接着剤が前記第１突片に向かって前記一定距離以上流れるのを堰き止める第３突片であり、
前記第３突片の前記ホルダからの高さは、前記第３突片に対して前記サスペンションワイヤが挿通されるように、前記サスペンションワイヤの前記ホルダからの高さよりも高い
ことを特徴とする請求項１に記載の対物レンズ駆動装置。
【請求項４】
前記第３突片における前記第１突片側の第１面は、前記第１面おける略中央寄りの位置が前記第１突片に近づくように、前記サスペンションワイヤの長手方向及び前記第３突片が突出する方向の双方と交差する方向において湾曲した形状を呈する
ことを特徴とする請求項２又は３に記載の対物レンズ駆動装置。
【請求項５】
前記第３突片における前記第２突片側の第２面は、前記第２面おける略中央寄りの位置が前記第１突片に近づくように、湾曲した形状を呈する
ことを特徴とする請求項２乃至４の何れかに記載の対物レンズ駆動装置。
【請求項６】
前記第２突片と第３突片は、互いに隙間無く形成される
ことを特徴とする請求項２に記載の対物レンズ駆動装置。
【請求項７】
前記防止部は、前記第１突片に向かって流れる前記接着剤が流れ込むように、前記ホルダに設けられた溝である
ことを特徴とする請求項１に記載の対物レンズ駆動装置。
【請求項８】
前記第１突片は、前記コイルを構成する導電線の端末を巻回するコイル端末処理のために設けられた突起であり、
前記第２突片は、前記サスペンションワイヤの一方側を固定する前記接着剤が塗布されて前記サスペンションワイヤの有効長を規定するために設けられた突片である
ことを特徴とする請求項１に記載の対物レンズ駆動装置。
【発明の詳細な説明】
【技術分野】
【０００１】
本発明は、対物レンズ駆動装置に関する。
【背景技術】
【０００２】
例えば、対物レンズを保持するホルダを変位させる対物レンズ駆動装置が知られている（特許文献１）。
【先行技術文献】
【特許文献】
【０００３】
【特許文献１】特開２００８―２０４４９６号公報
【発明の概要】
【発明が解決しようとする課題】
【０００４】
例えば、対物レンズを保持するホルダを変位させる対物レンズ駆動装置は、特許文献１の対物レンズ駆動装置も含めて、ホルダに装着されてホルダを変位させるコイルと、一端が前述のコイルの一端と接続されると共にホルダを支持するサスペンションワイヤとを有している。一般的に、サスペンションワイヤの一端はコイルの一端と半田によって接続され、サスペンションワイヤはホルダに対して接着剤で固定される。前述の接着剤が、サスペンションワイヤとコイルとの接続部分まで流れて、当該接続部分に付着することがある。この場合、サスペンションワイヤとコイルとの半田による接続をサスペンションワイヤとコイルとの接続部分の電気抵抗に基づいて確認するための確認試験において、半田による接続が正しく行われているか否かを確認するのが困難となる虞がある。
【課題を解決するための手段】
【０００５】
前述した課題を解決する主たる本発明は、対物レンズを保持するホルダと、前記ホルダに装着され、前記ホルダを光ディスクのフォーカス方向又はトラッキング方向に変位させるコイルと、一端が前記コイルの一端と半田によって接続されると共に、前記ホルダが前記フォーカス方向又は前記トラッキング方向に変位するように前記ホルダを支持するサスペンションワイヤと、を備え、前記ホルダは、前記コイルの一端と前記サスペンションワイヤの一端とが支持されるように前記ホルダから突出する第１突片と、前記サスペンションワイヤの長手方向の前記第１突片から離れた位置において、前記サスペンションワイヤが挿通されるように前記ホルダから突出する第２突片と、前記第２突片に対して前記サスペンションワイヤが固定されるように前記第２突片における前記第１突片側の面に塗布される接着剤が、前記第１突片に向かって一定距離以上流れるのを防止する、前記第１突片と前記第２突片との間に設けられる防止部と、を有することを特徴とする対物レンズ駆動装置である。
【０００６】
本発明の他の特徴については、添付図面及び本明細書の記載により明らかとなる。
【発明の効果】
【０００７】
本発明によれば、対物レンズ駆動装置において、コイルの一端とサスペンションワイヤの一端とが接続されている部分に対して接着剤が付着するのを防止することができる。
【図面の簡単な説明】
【０００８】
【図１】本発明の第１実施形態に係る光ピックアップ装置を示す斜視図である。
【図２】本発明の第１実施形態における対物レンズ駆動装置を示す斜視図である。
【図３】本発明の第１実施形態におけるレンズホルダを示す断面図である。
【図４】本発明の第１実施形態におけるサスペンションワイヤの一部及びレンズホルダを示す側面図である。
【図５】本発明の第１実施形態における第２サスペンションワイヤの一部及び側壁を示す側面図である。
【図６】本発明の第２実施形態における第２サスペンションワイヤの一部及び側壁を示す側面図である。
【図７】本発明の第３実施形態における第２サスペンションワイヤの一部及び側壁を示す側面図である。
【図８】本発明の第４実施形態におけるサスペンションワイヤの一部及びレンズホルダを示す側面図である。
【図９】本発明の第５実施形態におけるサスペンションワイヤの一部及びレンズホルダを示す側面図である。
【図１０】本発明の第６実施形態における第２サスペンションワイヤの一部及び側壁を示す側面図である。
【図１１】本発明の第７実施形態における第２サスペンションワイヤの一部及び側壁を示す側面図である。
【図１２】本発明の第８実施形態における第２サスペンションワイヤの一部及び側壁を示す側面図である。
【発明を実施するための形態】
【０００９】
本明細書および添付図面の記載により、少なくとも以下の事項が明らかとなる。
【００１０】
[第１実施形態]
＝＝＝光ピックアップ装置＝＝＝
以下、図１を参照して、本実施形態に係る光ピックアップ装置について説明する。図１は、本実施形態に係る光ピックアップ装置を示す斜視図である。尚、光ディスク５を回転させるためのスピンドルモータ（不図示）の回転軸５Ｃは、説明の便宜上、一点鎖線で示されている。光ディスク５は、一部が省略された状態で、一点鎖線で示されている。
【００１１】
本実施形態において、Ｚ軸は、光ディスク５を回転させるスピンドルモータの回転軸５Ｃの長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。Ｘ軸は、光ディスク５のトラッキング方向に沿う軸であり、光ピックアップ装置１００が回転軸５Ｃから離れる方向を−Ｘ方向とし、光ピックアップ装置１００が回転軸５Ｃに近づく方向を＋Ｘ方向とする。Ｙ軸は、光ディスク５のタンジェンシャル方向に沿う軸であり、ハウジング１０における一方の側面１１から他方の側面１２に向かう方向を＋Ｙ方向とし、ハウジング１０における他方の側面１２から一方の側面１１に向かう方向を−Ｙ方向とする。
【００１２】
光ピックアップ装置１００は、回転する光ディスク５にレーザ光を照射し、光ディスク５で反射されるレーザ光の反射光を検出する装置である。光ピックアップ装置１００は、ハウジング１０、レーザ光源１１１、光学部品１１２、光検出器１１４、対物レンズ駆動装置２００、対物レンズ３００を有する。
【００１３】
ハウジング１０は、レーザ光源１１１、光学部品１１２、光検出器１１４、対物レンズ駆動装置２００、対物レンズ３００が載置される例えば樹脂製のハウジングである。ハウジング１０は、タンジェンシャル方向（Ｙ軸）に延びた形状を呈する。トラッキング方向（Ｘ軸）における回転軸５Ｃに近い側（＋Ｘ）の端部１３は、例えば、スピンドルモータ（不図示）を回避するように所定の曲率をもって抉られた形状を呈する。トラッキング方向において回転軸５Ｃから遠い側（−Ｘ）の端部１４のタンジェンシャル方向の幅は、例えば、光ピックアップ装置１００を制御する制御装置（不図示）の筺体の形状に沿う様に、回転軸５Ｃから離れるにつれて短くなっている。
【００１４】
レーザ光源１１１は、光ディスク５に照射されるレーザ光を出射する装置である。
【００１５】
光学部品１１２は、レーザ光源１１１から出射されたレーザを光ディスク５に案内したり、光ディスク５で反射されたレーザ光の反射光を光検出器１１４に案内したりするための部品である。
【００１６】
対物レンズ３００は、レーザ光源１１１から出射されたレーザ光を、光ディスク５の信号記録面における信号記録層に集光する。対物レンズ３００は、光ディスク５と対向している。
【００１７】
光検出器１１４は、光ディスク５で反射されたレーザ光の反射光を光電変換する。
【００１８】
対物レンズ駆動装置２００は、対物レンズ３を保持しているレンズホルダ３（ホルダ）を変位させるための装置である。尚、対物レンズ駆動装置２００については、後述する。
【００１９】
＝＝＝対物レンズ駆動装置＝＝＝
以下、図２を参照して、本実施形態における対物レンズ駆動装置について説明する。図２は、本実施形態における対物レンズ駆動装置を示す斜視図である。尚、図２においては、カバー２０１（図１）が取り外された状態の対物レンズ駆動装置２００が示されている。尚、対物レンズ駆動装置２００の略中央を通り、且つ、トラッキング方向と直交する平面（ＹＺ平面）を中心に、第１サスペンションワイヤ２３Ａ、第２サスペンションワイヤ２４Ａ、第３サスペンションワイヤ２５Ａが設けられている位置と対称な位置には、第３サスペンションワイヤ２５Ａと同様な構成のサスペンションワイヤ（以下、「第１サスペンションワイヤ２３Ｂ、第２サスペンションワイヤ２４Ｂ、第３サスペンションワイヤ２５Ｂ」とも称する）が設けられている。
【００２０】
対物レンズ駆動装置２００は、レンズホルダ３をトラッキング方向（Ｘ軸）及びフォーカス方向（Ｚ軸）に変位させるための装置である。対物レンズ駆動装置２００は、例えば、対物レンズ駆動装置２００の略中央を通り、且つ、トラッキング方向と直交する平面を中心に対称な形状を呈する。対物レンズ駆動装置２００は、レンズホルダ３を有する。
【００２１】
レンズホルダ３は、対物レンズ３００を保持するための例えば樹脂製のホルダである。尚、レンズホルダ３については、後述する。
【００２２】
対物レンズ駆動装置２００は、第１フレーム２１、第２フレーム２２、第１サスペンションワイヤ２３Ａ、２３Ｂ、第２サスペンションワイヤ２４Ａ、２４Ｂ、第３サスペンションワイヤ２５Ａ、２５Ｂ、信号中継基板２６、第１マグネット４４Ａ、４４Ｂ、第２マグネット４５Ａ、４５Ｂを更に有する。
【００２３】
第２フレーム２２は、鋼板の板金加工により構成され、第１マグネット４４Ａ、４４Ｂ、第２マグネット４５Ａ、４５Ｂを支持するためのヨークを構成するフレームである。
【００２４】
第１マグネット４４Ａ、第２マグネット４５Ａは、レンズホルダ３をトラッキング方向及びフォーカス方向に変位させるための磁界を発生する一対の永久磁石である。第１マグネット４４Ａ、第２マグネット４５Ａは、タンジェンシャル方向に沿って設けられる。第１マグネット４４Ａ、第２マグネット４５Ａは夫々、トラッキング方向におけるレンズホルダ３の一方側（−Ｘ）の端の両側に設けられる。尚、第１マグネット４４Ｂ、第２マグネット４５Ｂは、第１マグネット４４Ａ、第２マグネット４５Ａと同様な構成であるので、その説明については省略する。
【００２５】
第１フレーム２１は、信号中継基板２６を支持するためのフレームである。第１フレーム２１は、第２フレーム２２と連結される。尚、例えば、第１フレーム２１及び第２フレーム２２は、一体的に形成されることとしてもよい。第１フレーム２１は、支持部２１Ａ、２１Ｂを有する。
【００２６】
支持部２１Ａは、第１サスペンションワイヤ２３Ａ、第２サスペンションワイヤ２４Ａ、第３サスペンションワイヤ２５Ａ（以下、「一方側のサスペンションワイヤ」とも称する）を支持する。支持部２１Ａは、一方側のサスペンションワイヤが延在する方向（Ｙ軸）に貫通し、当該一方側のサスペンションワイヤが挿通される支持孔２１１を有する。支持孔２１１には、一方側のサスペンションワイヤを制振支持するためのダンプ材（不図示）が充填されている。
【００２７】
支持部２１Ｂは、第１サスペンションワイヤ２３Ｂ、第２サスペンションワイヤ２４Ｂ、第３サスペンションワイヤ２５Ｂ（以下、「他方側のサスペンションワイヤ」とも称する）を支持する。尚、支持部２１Ｂは、支持部２１Ａと同様な構成であるので、その説明については省略する。
【００２８】
信号中継基板２６は、一方側のサスペンションワイヤ２３Ａ、２４Ａ、２５Ａ及び他方側のサスペンションワイヤ２３Ｂ、２４Ｂ、２５Ｂの一端を支持するための基板である。信号中継基板２６は、第１フレーム２１のレンズホルダ３とは反対側に例えばネジ及びあるいは接着剤等により固定される。信号中継基板２６には、フォーカス信号及びトラッキング信号が入力される。尚、フォーカス信号は、レンズホルダ３をフォーカス方向に変位させるための信号である。トラッキング信号は、レンズホルダ３をトラッキング方向に変位させるための信号である。又、一方側のサスペンションワイヤ、他方側のサスペンションワイヤに対してフォーカス信号及びトラッキング信号が供給されるように、信号中継基板２６には、一方側のサスペンションワイヤ、他方側のサスペンションワイヤがそれぞれ半田付け固定により接続される。
【００２９】
一方側のサスペンションワイヤ、他方側のサスペンションワイヤは、レンズホルダ３がトラッキング方向及びフォーカス方向に変位できるように、レンズホルダ３００を弾性支持する。又、一方側のサスペンションワイヤ、他方側のサスペンションワイヤは、フォーカス信号及びトラッキング信号を、フォーカスコイル４３Ａ、４３Ｂ、第１トラッキングコイル４１Ａ、４１Ｂ、第２トラッキングコイル４２Ａ、４２Ｂに送信する信号線としても機能する。尚、フォーカスコイル４３Ａ、４３Ｂ、第１トラッキングコイル４１Ａ、４１Ｂ、第２トラッキングコイル４２Ａ、４２Ｂが、コイルに相当する。
【００３０】
＝＝＝フォーカスコイル、トラッキングコイル＝＝＝
以下、図２、図３を参照して、本実施形態におけるフォーカスコイル、トラッキングコイルについて説明する。図３は、本実施形態におけるレンズホルダを示す断面図である。
【００３１】
第１トラッキングコイル４１Ａ、４１Ｂ、第２トラッキングコイル４２Ａ、４２Ｂは、レンズホルダ３をトラッキング方向に変位させる電磁力を発生させるためのコイルである。第１トラッキングコイル４１Ａ、４１Ｂ、第２トラッキングコイル４２Ａ、４２Ｂは、例えば、レンズホルダ３をトラッキング方向に変位させるためのトラッキング信号が供給される一本の導電線を、レンズホルダ３の４つのコイルボビン３６Ａ、３６Ｂ、３７Ａ、３７Ｂに順次巻回して形成されたコイルである。第１トラッキングコイル４１Ａ、４１Ｂ、第２トラッキングコイル４２Ａ、４２Ｂは夫々、タンジェンシャル方向（Ｙ軸）を軸にコイルボビン３６Ａ、３６Ｂ、３７Ａ、３７Ｂに巻回される。つまり、第１トラッキングコイル４１Ａ、４１Ｂ、第２トラッキングコイル４２Ａ、４２Ｂは、レンズホルダ３に装着されている。尚、第１トラッキングコイル４１Ａ、４１Ｂ、第２トラッキングコイル４２Ａ、４２Ｂを形成する一本の導電線を、トラッキングコイルの導電線とも称する。
【００３２】
フォーカスコイル４３Ａ、４３Ｂは、レンズホルダ３をフォーカス方向（Ｚ軸）に変位させる電磁力を発生させるためのコイルである。フォーカスコイル４３Ａ、４３Ｂは夫々、レンズホルダ３をフォーカス方向に変位させるためのフォーカス信号が供給される導電線を、夫々独立してフォーカス方向に沿ったヨーク３８Ａ、３８Ｂに接触しない間隙を持たせ巻回して形成されたコイルである。フォーカスコイル４３Ａ、４３Ｂは、フォーカス方向を軸に巻回される。フォーカスコイル４３Ａ、４３Ｂは、レンズホルダ３に装着されている。フォーカスコイル４３Ａ、４３Ｂに供給されるフォーカス信号にチルト信号を重畳することによりレンズホルダ３をチルト変位させる電磁力を発生させることができる。尚、フォーカスコイル４３Ａを形成する一本の導電線を、フォーカスコイル４３Ａの導電線とも称する。フォーカスコイル４３Ｂを形成する一本の導電線を、フォーカスコイル４３Ｂの導電線とも称する。
【００３３】
＝＝＝サスペンションワイヤ＝＝＝
以下、図２を参照して、本実施形態におけるサスペンションワイヤについて説明する。
【００３４】
第１サスペンションワイヤ２３Ａ、第２サスペンションワイヤ２４Ａ、第３サスペンションワイヤ２５Ａは、タンジェンシャル方向（Ｙ軸）に沿って延在し、対物レンズ駆動装置２００における手前側（−Ｘ）に設けられる。第１サスペンションワイヤ２３Ａ、第２サスペンションワイヤ２４Ａ、第３サスペンションワイヤ２５Ａは、フォーカス方向（Ｚ軸）において上側（＋Ｚ）から下側（−Ｚ）に向かって、第１サスペンションワイヤ２３Ａ、第２サスペンションワイヤ２４Ａ、第３サスペンションワイヤ２５Ａの順に設けられている。
【００３５】
第１サスペンションワイヤ２３Ａ、第２サスペンションワイヤ２４Ａ、第３サスペンションワイヤ２５Ａの一方の端部（＋Ｙ）は、レンズホルダ３に固定された状態で、フォーカスコイル４３Ａの導電線の両端、トラッキングコイルの導電線の一端に接続される。第１サスペンションワイヤ２３Ａ、第２サスペンションワイヤ２４Ａ、第３サスペンションワイヤ２５Ａの他方の端部（−Ｙ）は、支持部２１Ａに支持された状態で、信号中継基板２６に接続される。
【００３６】
第１サスペンションワイヤ２３Ｂ、第２サスペンションワイヤ２４Ｂ、第３サスペンションワイヤ２５Ｂは、タンジェンシャル方向に沿って延在し、対物レンズ駆動装置２００における奥側（＋Ｘ）に設けられる。第１サスペンションワイヤ２３Ｂ、第２サスペンションワイヤ２４Ｂ、第３サスペンションワイヤ２５Ｂは、フォーカス方向において上側から下側に向かって、第１サスペンションワイヤ２３Ｂ、第２サスペンションワイヤ２４Ｂ、第３サスペンションワイヤ２５Ｂの順に設けられている。
【００３７】
第１サスペンションワイヤ２３Ｂ、第２サスペンションワイヤ２４Ｂ、第３サスペンションワイヤ２５Ｂの一方の端部（＋Ｙ）は、レンズホルダ３に固定された状態で、フォーカスコイル４３Ｂの導電線の両端、トラッキングコイルの導電線の他端に接続される。第１サスペンションワイヤ２３Ｂ、第２サスペンションワイヤ２４Ｂ、第３サスペンションワイヤ２５Ｂの他方の端部（−Ｙ）は、支持部２１Ｂに支持された状態で、信号中継基板２６に接続される。
【００３８】
つまり、レンズホルダ３は、フォーカス方向及びトラッキング方向（Ｘ軸）に変位するように、一方側のサスペンションワイヤ及び他方側のサスペンションワイヤによって支持されることになる。
【００３９】
＝＝＝導電線に対するサスペンションワイヤの接続＝＝＝
以下、図２、図４を参照して、本実施形態におけるサスペンションワイヤについて説明する。図４は、本実施形態におけるサスペンションワイヤの一部及びレンズホルダを示す側面図である。尚、第１サスペンションワイヤ２３Ａ、第２サスペンションワイヤ２４Ａ、第３サスペンションワイヤ２５Ａ夫々の一部は、説明の便宜上、省略されている。
【００４０】
レンズホルダ３の各側壁にはそれぞれ３つずつ計６個の突起が一体的に形成されており、前記６個の突起は２つずつの対になっており、全部で３対の突起となっている。前記３対の突起の所定の一対には第１トラッキングコイル４１Ａ、４１Ｂ、第２トラッキングコイル４２Ａ、４２Ｂを構成する導電線の始端及び終端がそれぞれ分かれて巻回されて端末処理され、前記３対の突起の別の一対には一方のフォーカスコイル４３Ａを構成する導電線の始端及び終端がそれぞれ分かれて巻回されて端末処理され、前記３対の突起の残りの一対には他方のフォーカスコイル４３Ｂを構成する導電線の始端及び終端がそれぞれ分かれて巻回されて端末処理されている。
【００４１】
第１サスペンションワイヤ２３Ａの一方の端部は、フォーカスコイル４３Ａの導電線の一方の端部４３１に対して、半田５３によって接続される。尚、フォーカスコイル４３Ａの導電線の一方の端部４３１は、レンズホルダ３における手前側（−Ｘ）の側壁３１からトラッキング方向（Ｘ軸）において突出している突起３３Ａ（第１突片）に巻回されて固定されていることとする。つまり、第１サスペンションワイヤ２３Ａの一方の端部は、突起３３Ａの近傍において、フォーカスコイル４３Ａの導電線の一方の端部４３１に接続される。よって、第１サスペンションワイヤ２３Ａの一方の端部とフォーカスコイル４３Ａの導電線の一方の端部４３１とは、突起３３Ａによって支持されることになる。
【００４２】
第３サスペンションワイヤ２５Ａの一方の端部は、フォーカスコイル４３Ａの導電線の他方の端部４３２に対して、半田５５によって接続される。尚、フォーカスコイル４３Ａの導電線の他方の端部４３２は、レンズホルダ３における手前側の側壁３１からトラッキング方向（Ｘ軸）において突出している突起３５Ａ（第１突片）に巻回されて固定されていることとする。つまり、第３サスペンションワイヤ２５Ａの一方の端部は、突起３５Ａの近傍において、フォーカスコイル４３Ａの導電線の他方の端部４３２に接続される。よって、第３サスペンションワイヤ２５Ａの一方の端部とフォーカスコイル４３Ａの導電線の他方の端部４３２とは、突起３５Ａによって支持されることになる。
【００４３】
第２サスペンションワイヤ２４Ａの一方の端部は、トラッキングコイルの導電線の一方の端部４１１に対して、半田５４によって接続される。尚、フォーカスコイル４３Ａの導電線の一方の端部４１１は、レンズホルダ３における手前側の側壁３１からトラッキング方向（Ｘ軸）において突出している突起３４Ａ（第１突片）に巻回されて固定されていることとする。つまり、第２サスペンションワイヤ２４Ａの一方の端部は、突起３４Ａの近傍において、トラッキングコイルの導電線の一方の端部４１１に接続される。よって、第２サスペンションワイヤ２４Ａの一方の端部とトラッキングコイルの導電線の一方の端部４１１とは、突起３４Ａによって支持されることになる。
【００４４】
尚、第１サスペンションワイヤ２３Ｂ、第２サスペンションワイヤ２４Ｂ、第３サスペンションワイヤ２５Ｂの構成は夫々、第１サスペンションワイヤ２３Ａ、第２サスペンションワイヤ２４Ａ、第３サスペンションワイヤ２５Ａの構成と同様であるので、その説明については省略する。
【００４５】
＝＝＝接続試験＝＝＝
以下、図４を参照して、本実施形態における接続試験について説明する。
【００４６】
接続試験は、フォーカスコイル４３Ａの導電線、フォーカスコイル４３Ｂの導電線、トラッキングコイルの導電線に対する、一方側のサスペンションワイヤ、他方側のサスペンションワイヤの接続が行われているか否かを確認するための試験である。
【００４７】
接続試験においては、例えば、第１サスペンションワイヤ２３Ａと第３サスペンションワイヤ２５Ａとの間の電気抵抗を測定する。接続試験においては、当該電気抵抗の値が所定値よりも低いか否かに基づいて、フォーカスコイル４３Ａの導電線に対する第１サスペンションワイヤ２３Ａ及び第３サスペンションワイヤ２５Ａの接続が行われているか否が判断される。
【００４８】
例えば、測定された電気抵抗の値が所定値よりも低い場合、フォーカスコイル４３Ａの導電線に対する第１サスペンションワイヤ２３Ａ及び第３サスペンションワイヤ２５Ａの接続が確実に行われていると判断される。一方、例えば、測定された電気抵抗の値が所定値よりも高い場合、フォーカスコイル４３Ａの導電線に対する第１サスペンションワイヤ２３Ａ及び第３サスペンションワイヤ２５Ａの接続が行われていないと判断される。
【００４９】
つまり、接続試験においては、例えば、第１サスペンションワイヤ２３Ａの一方の端部と、フォーカスコイル４３Ａの導電線の一方の端部４３１が半田５３によって接続されているか否かが判断される。例えば、半田５３の量の不足や不適切な半田状態により、フォーカスコイル４３Ａの導電線の一方の端部４３１に対する第１サスペンションワイヤ２３Ａの一方の端部の接続が不十分なとき、フォーカスコイル４３Ａの導電線に対する第１サスペンションワイヤ２３Ａ及び第３サスペンションワイヤ２５Ａの接続が行われていないものと判断される。
【００５０】
ここで、例えば、支持体５２（第２突片）に対して一方側のサスペンションワイヤを固定するための接着剤が、フォーカスコイル４３Ａの導電線の一方の端部４３１及び第１サスペンションワイヤ２３Ａの一方の端部に連続的に塗布された場合、当該接着剤によって、フォーカスコイル４３Ａの導電線の一方の端部４３１及び第１サスペンションワイヤ２３Ａの一方の端部が接続されることになる。この場合、接続試験においては、例えば、半田５３の量の不足や不適切な半田状態により、フォーカスコイル４３Ａの導電線の一方の端部４３１に対する第１サスペンションワイヤ２３Ａの一方の端部の接続が不十分であるにも関わらず、フォーカスコイル４３Ａの導電線に対する第１サスペンションワイヤ２３Ａ及び第３サスペンションワイヤ２５Ａの接続が行われているものと誤判断されることがある。つまり、一方側のサスペンションワイヤにおける、フォーカスコイル４３Ａの導電線と接続される部分、トラッキングコイルの導電線と接続される部分に接着剤が塗布された場合、サスペンションワイヤと各フォーカスコイルの導電線、及びあるいはトラッキングコイルの導電線との接触が前記接着剤による接着で保持されることによって接続試験においては、誤判断が引き起こされる虞がある。従って、一方側のサスペンションワイヤにおける、フォーカスコイル４３Ａの導電線と接続される部分、トラッキングコイルの導電線と接続される部分に対して、接着剤が塗布されないようにすることが必要となる。
【００５１】
尚、トラッキングコイルの導電線に対する第２サスペンションワイヤ２４Ａ、２４Ｂの接続の確認は、フォーカスコイル４３Ａの導電線に対する第１サスペンションワイヤ２３Ａ及び第３サスペンションワイヤ２５Ａの接続の確認と同様であるので、その説明については、省略する。
【００５２】
又、フォーカスコイル４３Ｂの導電線に対する第１サスペンションワイヤ２３Ｂ及び第３サスペンションワイヤ２５Ｂの接続の確認は、フォーカスコイル４３Ａの導電線に対する第１サスペンションワイヤ２３Ａ及び第３サスペンションワイヤ２５Ａの接続の確認と同様であるので、その説明については、省略する。
【００５３】
＝＝＝レンズホルダに対するサスペンションワイヤの固定＝＝＝
以下、図４、図５を参照して、本実施形態におけるレンズホルダに対するサスペンションワイヤの固定について説明する。図５は、本実施形態における第２サスペンションワイヤの一部及び側壁を示す側面図である。尚、第２サスペンションワイヤ２４Ａの一部は、説明の便宜上、省略されている。
【００５４】
レンズホルダ３に対する第２サスペンションワイヤ２４Ａの固定と、レンズホルダ３に対する他方側のサスペンションワイヤ、第１サスペンションワイヤ２３Ａ、第３サスペンションワイヤ２５Ａの固定とは、同様な構成であるので、レンズホルダ３に対する第２サスペンションワイヤ２４Ａの固定についてのみ説明し、レンズホルダ３に対する他方側のサスペンションワイヤ、第１サスペンションワイヤ２３Ａ、第３サスペンションワイヤ２５Ａの固定については、その説明を省略する。
【００５５】
第２サスペンションワイヤ２４Ａは、支持体５２に支持された状態で、レンズホルダ３の側壁３１に固定される。
【００５６】
側壁３１には、第１切欠き３１Ｃ（図４）、第２切欠き３１Ｄが形成される。
【００５７】
第１切欠き３１Ｃは、側壁３１における突起３３Ａ側（＋Ｚ）の端に設けられる。第１切欠き３１Ｃは、タンジェンシャル方向における突起３３Ａと支持体５２との間に設けられる。第１切欠き３１Ｃは、トラッキング方向において第１サスペンションワイヤ２３Ａの一部と対向する位置に設けられる。
【００５８】
第２切欠き３１Ｄは、側壁３１における突起３５Ａ側（−Ｚ）の端に設けられる。第２切欠き３１Ｄは、タンジェンシャル方向における突起３５Ａと支持体５２との間に設けられる。第２切欠き３１Ｄは、トラッキング方向において第３サスペンションワイヤ２５Ａの一部と対向する位置に設けられる。
【００５９】
側壁３１の外面（−Ｘ）には、突起３４Ａ、壁部材５１、接着剤５６、支持体５２が設けられる。尚、例えば、突起３４Ａ、壁部材５１、支持体５２は、側壁３１と一体的に形成される樹脂製の部材であることとしてもよい。
【００６０】
支持体５２は、側壁３１の外面から離れた位置において第２サスペンションワイヤ２４Ａを支持するための部材である。支持体５２は、側壁３１から突起３４Ａが突出する方向（Ｘ軸）に突出している。支持体５２は、例えば第２サスペンションワイヤ２４Ａの長手方向（Ｙ軸）の突起３３Ａ、３４Ａ、３５Ａから離れた位置に設けられる。支持体５２には、第２サスペンションワイヤ２４Ａを支持するための支持孔５２Ａが形成される。支持孔５２Ａは、第２サスペンションワイヤ２４Ａが挿通されるように、タンジェンシャル方向（Ｙ軸）に貫通した孔である。支持孔５２Ａの径は、タンジェンシャル方向において突起３４Ａから離れるにつれて大きくなるように設定されている。従って、タンジェンシャル方向における突起３４Ａから遠い側（−Ｙ）から突起３４Ａに近い側（＋Ｙ）に向かう、支持孔５２Ａに対する第２サスペンションワイヤ２４Ａの挿通が容易となる。
【００６１】
支持体５２は、例えば、略矩形柱形状を呈し、レンズホルダ３に対する一方側及び他方側の両側壁に一体的に設けられ、レンズホルダ３に対する一方側及び他方側の第１サスペンションワイヤ、第２サスペンションワイヤ及び第３サスペンションワイヤの各サスペンションワイヤの有効長を信号中継基板２６と共に規定する。支持体５２は、第１サスペンションワイヤ２３Ａ、第２サスペンションワイヤ２４Ａ、第３サスペンションワイヤ２５Ａが隣り合う方向（Ｚ軸）において延びている。支持体５２は、側壁３１における第１トラッキングコイル４１Ａ（図４）とは反対側（−Ｙ）の端に設けられる。
【００６２】
突起３４Ａには、前述したように、トラッキングコイルの導電線の一方の端部４１１が固定されている。突起３４Ａは、タンジェンシャル方向において支持体５２よりも第１トラッキングコイル４１Ａ側（＋Ｙ）に設けられる。
【００６３】
壁部材５１（防止部、第３突片）は、接着剤５６が突起３４Ａ側（＋Ｙ）に一定距離以上流れるのを防止するための、側壁３１から突出する部材である。尚、一定距離とは、例えば第２サスペンションワイヤ２４Ａの長手方向（Ｙ軸）における支持体５２から半田５４までの距離Ｄ１１に応じた距離である。一定距離は、例えば、距離Ｄ１１よりも短い距離である。壁部材５１は、例えば、略矩形柱形状を呈する。壁部材５１は、第１サスペンションワイヤ２３Ａ、第２サスペンションワイヤ２４Ａ、第３サスペンションワイヤ２５Ａが隣り合う方向において延びている。壁部材５１は、タンジェンシャル方向における支持体５２と突起３４Ａとの間に設けられる。壁部材５１は、タンジェンシャル方向における支持体５２と突起３４Ａとの間の略中央よりも、支持体５２側（−Ｙ）に設けられる。フォーカス方向（Ｚ軸）における壁部材５１の幅は、例えば、フォーカス方向における側壁３１の幅と略同様とされる。この構成により、例えば、接着剤５６がフォーカス方向における壁部材５１の周囲から回り込んで、当該接着剤５６が壁部材５１よりも突起３４Ａ側に流れだすのが防止されることになる。つまり、壁部材５１は、接着剤５６が突起３４Ａに向かって一定距離以上流れるのを堰き止めている。トラッキング方向における壁部材５１の高さＨ２は、トラッキング方向における側壁３１に対する第２サスペンションワイヤ２４Ａの高さＨ１よりも低くなるように設定される。この構成により、第２サスペンションワイヤ２４Ａに対する壁部材５１の接触が防止されることになる。
【００６４】
接着剤５６は、側壁３１に対して第２サスペンションワイヤ２４Ａを固定するための、例えばアクリル系のＵＶ硬化型接着剤である。接着剤５６は、支持体５２に対して第２サスペンションワイヤ２４Ａが固定されるように支持体５２における突起３４Ａ側の面（＋Ｙ）に塗布される。接着剤５６は、支持体５２と壁部材５１との間に注入される。接着剤５６は、第２サスペンションワイヤ２４Ａ及び支持体５２に対して接着剤５６が連続的に塗布されるように、十分な量が注入される。
【００６５】
以上のようにして、レンズホルダ３に対する一方側及び他方側の第１サスペンションワイヤ、第２サスペンションワイヤ及び第３サスペンションワイヤの各サスペンションワイヤがレンズホルダ３の各側壁面側の支持体５２に接着され、これにより支持体５２の信号中継基板２６から遠い側（＋Ｙ）の壁面によって各サスペンションワイヤの有効長が規定される。尚、一方側のサスペンションワイヤの有効長は、例えば、支持体５２の信号中継基板２６から遠い側（＋Ｙ）の壁面と信号中継基板２６の支持体５２に近い側（＋Ｙ）の壁面との間の一方側のサスペンションワイヤの長さである。尚、他方側のサスペンションワイヤの有効長の構成は、一方側のサスペンションワイヤの有効長の構成と同様である。
【００６６】
＝＝＝レンズホルダに対するサスペンションワイヤの取り付け＝＝＝
以下、図４、図５を参照して、本実施形態におけるレンズホルダに対するサスペンションワイヤの取り付けについて説明する。
【００６７】
レンズホルダ３に対する第２サスペンションワイヤ２４Ａの取り付けと、レンズホルダ３に対する他方側のサスペンションワイヤ、第１サスペンションワイヤ２３Ａ、第３サスペンションワイヤ２５Ａの取り付けとは、同様な構成であるので、レンズホルダ３に対する第２サスペンションワイヤ２４Ａの取り付けについてのみ説明し、レンズホルダ３に対する他方側のサスペンションワイヤ、第１サスペンションワイヤ２３Ａ、第３サスペンションワイヤ２５Ａの取り付けについては、その説明を省略する。
【００６８】
トラッキングコイルの導電線の一方の端部４１１が、突起３４Ａに巻回されて固定される。この後、第２サスペンションワイヤ２４Ａの一方の端部が、支持体５２の支持孔５２Ａに挿通される。第２サスペンションワイヤ２４Ａの一方の端部は、半田５４によって、トラッキングコイルの導電線の一方の端部４１１に接続される。
【００６９】
この後、接着剤５６が、支持体５２と壁部材５１との間に注入される。このとき、接着剤５６が突起３４Ａ側に流れだすのが、壁部材５１によって防止されることになる。尚、壁部材５１は、対物レンズ駆動装置２００を組み立てる作業者に対して、接着剤５６を注入する位置の目安を示していることになる。又、接着剤５６が壁部材５１を越えて突起３４Ａ側に流れださない程度の量の接着剤５６が注入されることにある。つまり、壁部材５１は、上述の作業者に対して、支持体５２と壁部材５１との間に注入される接着剤５６の量の目安を示していることにもなる。この後、接着剤５６に対して紫外線が照射される。以上より、第２サスペンションワイヤ２４Ａは、レンズホルダ３の支持体５２に対して固定されて、取り付けられることになる。
【００７０】
[第２実施形態]
＝＝＝レンズホルダに対するサスペンションワイヤの固定＝＝＝
以下、図６を参照して、本実施形態におけるレンズホルダに対するサスペンションワイヤの固定について説明する。図６は、本実施形態における第２サスペンションワイヤの一部及び側壁を示す側面図である。尚、図５と同様な構成については、同様な符号を付すのみでその説明については省略する。尚、第２サスペンションワイヤ２４Ａの一部は、説明の便宜上、省略されている。
【００７１】
側壁３１の外面（−Ｘ）には、台部材５１Ｂ（第３突片）、接着剤５６Ｂが設けられる。尚、例えば、突起３４Ａ、台部材５１Ｂ、支持体５２は、側壁３１と一体的に形成される樹脂製の部材であることとしてもよい。
【００７２】
台部材５１Ｂは、接着剤５６Ｂが突起３４Ａ側（＋Ｙ）に一定距離以上流れだすのを防止するための部材である。台部材５１Ｂは、例えば、略矩形柱形状の台座形状を呈する。台部材５１Ｂは、第１サスペンションワイヤ２３Ａ（図４）、第２サスペンションワイヤ２４Ａ、第３サスペンションワイヤ２５Ａが隣り合う方向（Ｚ軸）において延びている。台部材５１Ｂは、タンジェンシャル方向における支持体５２と突起３４Ａとの間に設けられる。台部材５１Ｂは、タンジェンシャル方向における支持体５２と隣接する位置に設けられる。つまり、台部材５１Ｂと支持体５２は、互いに隙間無く形成されていることになる。尚、台部材５１Ｂ及び支持体５２は、一体的に形成されることとしてもよいし、互いに別体として形成されることとしてもよい。フォーカス方向（Ｚ軸）における台部材５１Ｂの幅は、例えば、フォーカス方向における側壁３１の幅と略同様とされる。トラッキング方向における台部材５１Ｂの高さＨ３は、トラッキング方向における側壁３１に対する第２サスペンションワイヤ２４Ａの高さＨ１よりも低くなるように設定される。この構成により、第２サスペンションワイヤ２４Ａに対する台部材５１Ｂの接触が防止されることになる。
【００７３】
接着剤５６Ｂは、側壁３１に対して第２サスペンションワイヤ２４Ａを固定するための、例えばアクリル系のＵＶ硬化型接着剤である。接着剤５６Ｂは、台部材５１Ｂの上面（−Ｘ）及び支持体５２における突起３４Ａ側の面（＋Ｙ）に連続的に塗布される。接着剤５６Ｂは、接着剤５６Ｂによって第２サスペンションワイヤ２４Ａが保持されるように、十分な量が塗布される。これらの構成により、第２サスペンションワイヤ２４Ａが、レンズホルダ３に対して固定されることになる。
【００７４】
ここで、一般的に、接着剤５６Ｂは、接着剤５６Ｂの粘度に応じて所定量が突起３４Ａ側に流れ出すことになる。しかし、本実施形態においては、接着剤５６Ｂが、支持台５１Ｂの上面に塗布されている。よって、支持体５２における支持孔５２Ａの周囲に接着剤５６Ｂを塗布するための、接着剤５６Ｂの塗布量を比較的少なく抑えることができる。従って、接着剤５６Ｂが突起３４Ａ側に流れ出す量を比較的少なくすることができる。従って、第２サスペンションワイヤ２４Ａにおける、トラッキングコイルの導電線の一方の端部４１１と接続される部分に対して接着剤５６Ｂが付着するのが防止されることになる。
【００７５】
[第３実施形態]
＝＝＝レンズホルダに対するサスペンションワイヤの固定＝＝＝
以下、図７を参照して、本実施形態におけるレンズホルダに対するサスペンションワイヤの固定について説明する。図７は、本実施形態における第２サスペンションワイヤの一部及び側壁を示す側面図である。尚、図５と同様な構成については、同様な符号を付すのみでその説明については省略する。尚、第２サスペンションワイヤ２４Ａの一部は、説明の便宜上、省略されている。
【００７６】
側壁３１の外面（−Ｘ）には、壁部材５１Ｃ、接着剤５６Ｃが設けられる。尚、例えば、突起３４Ａ、壁部材５１Ｃ、支持体５２は、側壁３１と一体的に形成される樹脂製の部材であることとしてもよい。
【００７７】
壁部材５１Ｃ（第３突片）は、接着剤５６Ｃが突起３４Ａ側（＋Ｙ）に一定距離以上流れだすのを防止する（堰き止める）ための部材である。壁部材５１Ｃは、例えば、略矩形柱形状を呈する。壁部材５１Ｃは、第１サスペンションワイヤ２３Ａ（図４）、第２サスペンションワイヤ２４Ａ、第３サスペンションワイヤ２５Ａが隣り合う方向（Ｚ軸）において延びている。壁部材５１Ｃは、タンジェンシャル方向における支持体５２と突起３４Ａとの間に設けられる。壁部材５１Ｃは、タンジェンシャル方向における支持体５２と突起３４Ａとの間の略中央よりも、支持体５２側（−Ｙ）に設けられる。壁部材５１Ｃは、壁部材５１Ｃと支持体５２との間に接着剤５６Ｃが貯留される隙間が形成されるように、支持体５２に対して比較的近い位置に設けられる。フォーカス方向（Ｚ軸）における壁部材５１Ｃの幅は、例えば、フォーカス方向における側壁３１の幅と略同様とされる。この構成により、例えば、接着剤５６Ｃがフォーカス方向における壁部材５１Ｃの周囲から回り込んで、当該接着剤５６Ｃが壁部材５１Ｃよりも突起３４Ａ側に流れだすのが防止されることになる。トラッキング方向における壁部材５１Ｃの高さＨ４は、トラッキング方向における側壁３１に対する第２サスペンションワイヤ２４Ａの高さＨ１よりも高くなるように設定される。尚、例えば、トラッキング方向における壁部材５１Ｃの高さＨ４が、トラッキング方向における支持体５２の高さよりも高くなるように設定されることにしてもよい。尚、壁部材５１Ｃには、第２サスペンションワイヤ２４Ａが挿通される挿通孔５１１が設けられる。
【００７８】
接着剤５６Ｃは、側壁３１に対して第２サスペンションワイヤ２４Ａを固定するための、例えばアクリル系のＵＶ硬化型接着剤である。接着剤５６Ｃは、支持体５２と壁部材５１Ｃとの間に注入される。接着剤５６Ｃは、第２サスペンションワイヤ２４Ａ及び支持体５２に対して接着剤５６Ｃが連続的に塗布されるように、十分な量が注入される。
【００７９】
ここで、一般的に、接着剤５６Ｃは、接着剤５６Ｃの粘度に応じて所定量が突起３４Ａ側に流れ出すことになる。しかし、本実施形態においては、接着剤５６Ｃが突起３４Ａ側に流れ出すのが、壁部材５１Ｃによって防止されることになる。
【００８０】
[第４実施形態]
第１実施形態においては、壁部材５１が略矩形柱形状を呈することについて説明したが、これに限定されるものではない。例えば、略矩形柱形状以外の形状としてもよい。
【００８１】
＝＝＝壁部材＝＝＝
以下、図８を参照して、本実施形態における壁部材について説明する。図８は、本実施形態におけるサスペンションワイヤの一部及びレンズホルダを示す側面図である。尚、図４と同様な構成については、同様な符号を付すのみでその説明については省略する。尚、第１サスペンションワイヤ２３Ａの一部、第２サスペンションワイヤ２４Ａの一部、第３サスペンションワイヤ２５Ａの一部は、説明の便宜上、省略されている。
【００８２】
壁部材５１Ｄ（第３突片）は、接着剤５６Ｄが突起３４Ａ側（＋Ｙ）に一定距離以上流れだすのを防止するための部材である。壁部材５１Ｄは、第１サスペンションワイヤ２３Ａ（図４）、第２サスペンションワイヤ２４Ａ、第３サスペンションワイヤ２５Ａが隣り合う方向（Ｚ軸）において延びている。壁部材５１Ｄは、第２サスペンションワイヤ２４Ａが延在する方向（Ｙ軸）において、支持体５２から突起３４Ａに向かって湾曲した形状を呈する。つまり、壁部材５１Ｄにおける突起３４Ａ側の第１面（＋Ｙ）は、当該第１面における略中央寄りの位置が突起３４Ａに近づくように、第２サスペンションワイヤ２４Ａの長手方向（Ｙ軸）及び壁部材５１Ｄが突出する方向（Ｘ軸）の双方と交差する方向（Ｚ軸）において湾曲している。壁部材５１Ｄが湾曲しているので、例えば、壁部材５１Ｄと支持体５２との間の接着剤５６Ｄが注入される領域を比較的広くすることができる。従って、レンズホルダ３に対して第１サスペンションワイヤ２３Ａ、第２サスペンションワイヤ２４Ａ、第３サスペンションワイヤ２５Ａを固定するための接着剤５６Ｄの塗布量を増大させることができる。よって、レンズホルダ３に対して第１サスペンションワイヤ２３Ａ、第２サスペンションワイヤ２４Ａ、第３サスペンションワイヤ２５Ａを強固に固定することができる。
【００８３】
[第５実施形態]
第１実施形態においては、壁部材５１が略矩形柱形状を呈することについて説明したが、これに限定されるものではない。例えば、略矩形柱形状以外の形状としてもよい。
【００８４】
＝＝＝壁部材＝＝＝
以下、図９を参照して、本実施形態における壁部材について説明する。図９は、本実施形態におけるサスペンションワイヤの一部及びレンズホルダを示す側面図である。尚、図４と同様な構成については、同様な符号を付すのみでその説明については省略する。尚、第１サスペンションワイヤ２３Ａの一部、第２サスペンションワイヤ２４Ａの一部、第３サスペンションワイヤ２５Ａの一部は、説明の便宜上、省略されている。
【００８５】
壁部材５１Ｅ（第３突片）は、接着剤５６Ｅが突起３４Ａ側（＋Ｙ）に一定距離以上流れだすのを防止するための部材である。壁部材５１Ｅは、第１サスペンションワイヤ２３Ａ（図４）、第２サスペンションワイヤ２４Ａ、第３サスペンションワイヤ２５Ａが隣り合う方向（Ｚ軸）において延在している。壁部材５１Ｅは、＋Ｘから−Ｘに向かって見た際（図９）に、ぎざぎざ形状となるように形成される。壁部材５１Ｅの形状がぎざぎざ形状となっているので、壁部材５１Ｅにおける支持体５２側の面（−Ｙ）の表面積を比較的広くすることができる。従って、壁部材５１Ｅにおける接着剤５６Ｅと接触する接触面積を、比較的広くすることができる。よって、壁部材５１Ｅに対する接着剤５６Ｅの接着力を向上させて、接着剤５６Ｅが突起３４Ａ側に流れ出すのを確実に防止することができる。更に、レンズホルダ３に対して第１サスペンションワイヤ２３Ａ、第２サスペンションワイヤ２４Ａ、第３サスペンションワイヤ２５Ａを強固に固定することができる。
【００８６】
[第６実施形態]
第１実施形態においては、壁部材５１が略矩形柱形状を呈することについて説明したが、これに限定されるものではない。例えば、略矩形柱形状以外の形状としてもよい。
【００８７】
＝＝＝壁部材＝＝＝
以下、図１０を参照して、本実施形態における壁部材について説明する。図１０は、本実施形態における第２サスペンションワイヤの一部及び側壁を示す側面図である。尚、図５と同様な構成については、同様な符号を付すのみでその説明については省略する。尚、第２サスペンションワイヤ２４Ａの一部は、説明の便宜上、省略されている。
【００８８】
壁部材５１Ｆ（第３突片）は、接着剤５６Ｆが突起３４Ａ側（＋Ｙ）に一定距離以上流れだすのを防止するための部材である。壁部材５１Ｆにおける接着剤５６Ｆと接触する面は、第２サスペンションワイヤ２４Ａが延在する方向（Ｙ軸）において支持体５２から突起３４Ａに向かって湾曲するように抉られた形状を呈する。
【００８９】
つまり、壁部材５１Ｆにおける支持体５２側の第２面（−Ｙ）は、当該第２面における略中央寄りの位置が突起３４Ａに近づくように、壁部材５１Ｆが突出する方向（Ｘ軸）において湾曲している。従って、壁部材５１Ｆにおける接着剤５６Ｆと接触する接触面積を、比較的広くすることができる。よって、壁部材５１Ｆに対する接着剤５６Ｆの接着力を向上させて、接着剤５６Ｆが突起３４Ａ側に流れ出すのを確実に防止することができる。更に、レンズホルダ３に対して第１サスペンションワイヤ２３Ａ、第２サスペンションワイヤ２４Ａ、第３サスペンションワイヤ２５Ａを強固に固定することができる。
【００９０】
[第７実施形態]
第１実施形態においては、壁部材５１が略矩形柱形状を呈することについて説明したが、これに限定されるものではない。例えば、略矩形柱形状以外の形状としてもよい。
【００９１】
＝＝＝壁部材＝＝＝
以下、図１１を参照して、本実施形態における壁部材について説明する。図１１は、本実施形態における第２サスペンションワイヤの一部及び側壁を示す側面図である。尚、図５と同様な構成については、同様な符号を付すのみでその説明については省略する。尚、第２サスペンションワイヤ２４Ａの一部は、説明の便宜上、省略されている。
【００９２】
壁部材５１Ｇは、接着剤５６Ｇが突起３４Ａ側（＋Ｙ）に流れだすのを防止するための部材である。壁部材５１Ｇにおける接着剤５６Ｇと接触する面には、複数の凹部５１２が設けられている。尚、凹部５１２は、第２サスペンションワイヤ２４Ａが延在する方向（Ｙ軸）において支持体５２から突起３４Ａに向かって湾曲するように抉られた形状を呈する。従って、壁部材５１Ｇにおける接着剤５６Ｇと接触する接触面積を、比較的広くすることができる。よって、壁部材５１Ｇに対する接着剤５６Ｇの接着力を向上させて、接着剤５６Ｇが突起３４Ａ側に流れ出すのを確実に防止することができる。更に、レンズホルダ３に対して第１サスペンションワイヤ２３Ａ、第２サスペンションワイヤ２４Ａ、第３サスペンションワイヤ２５Ａを強固に固定することができる。
【００９３】
[第８実施形態]
第１実施形態においては、側壁３１における支持体５２と突起３４Ａとの間に壁部材５１を設けることについて説明したが、これに限定されるものではない。例えば、側壁３１Ｈにおける支持体５２と突起３４Ａとの間に凹部５１Ｈ（溝）が設けられることとしてもよい。
【００９４】
＝＝＝凹部＝＝＝
以下、図１２を参照して、本実施形態における凹部について説明する。図１２は、本実施形態における第２サスペンションワイヤの一部及び側壁を示す側面図である。尚、図５と同様な構成については、同様な符号を付すのみでその説明については省略する。尚、第２サスペンションワイヤ２４Ａの一部は、説明の便宜上、省略されている。
【００９５】
凹部５１Ｈは、接着剤５６Ｈが突起３４Ａ側（＋Ｙ）に一定距離以上流れだすのを防止するための凹部である。凹部５１Ｈは、第１サスペンションワイヤ２３Ａ（図４）、第２サスペンションワイヤ２４Ａ、第３サスペンションワイヤ２５Ａが隣り合う方向（Ｚ軸）において延在している。凹部５１Ｈは、タンジェンシャル方向における支持体５２と突起３４Ａとの間に設けられる。凹部５１Ｈは、凹部５１Ｈと支持体５２との間に接着剤５６Ｈが塗布されるように、支持体５２から離れた位置に設けられる。凹部５１Ｈの深さは、支持体５２側（−Ｙ）から突起３４Ａ側に向かって流れだした接着剤５６Ｈが凹部５１Ｈに流れ込んで、凹部５１を超えないような深さに設定される。つまり、支持体５２側（−Ｙ）から突起３４Ａ側に向かって流れだした接着剤５６Ｈは、凹部５１Ｈ内に貯留される。フォーカス方向（Ｚ軸）における凹部５１Ｈの幅は、例えば、フォーカス方向における凹部５１Ｈの幅と略同様とされる。この構成により、例えば、接着剤５６Ｈがフォーカス方向における凹部５１Ｈの周囲から回り込んで、当該接着剤５６Ｈが凹部５１Ｈよりも突起３４Ａ側に流れだすのが防止されることになる。
【００９６】
前述したように、対物レンズ駆動装置２００は、レンズホルダ３、フォーカスコイル４３Ａ、４３Ｂ、第１トラッキングコイル４１Ａ、４１Ｂ、第２トラッキングコイル４２Ａ、４２Ｂ、第１サスペンションワイヤ２３Ａ、２３Ｂ、第２サスペンションワイヤ２４Ａ、２４Ｂ、第３サスペンションワイヤ２５Ａ、２５Ｂを有する。レンズホルダ３は、対物レンズ３００を保持する。フォーカスコイル４３Ａ、４３Ｂは、レンズホルダ３に装着され、レンズホルダ３を光ディスク５のフォーカス方向に変位させるコイルである。第１トラッキングコイル４１Ａ、４１Ｂ、第２トラッキングコイル４２Ａ、４２Ｂは、レンズホルダ３に装着され、レンズホルダ３を光ディスク５のトラッキング方向に変位させるコイルである。一方側のサスペンションワイヤ及び他方側のサスペンションワイヤは、レンズホルダ３が光ディスク５のフォーカス方向又はトラッキング方向に変位するように、レンズホルダ３を支持する。第１サスペンションワイヤ２３Ａの一方の端部は、半田５３によってフォーカスコイル４３Ａの導電線の一方の端部４３１と接続される。第３サスペンションワイヤ２５Ａの一方の端部は、半田５５によってフォーカスコイル４３Ａの導電線の他方の端部４３２と接続される。第２サスペンションワイヤ２４Ａの一方の端部は、半田５４によってトラッキングコイルの導電線の一方の端部４１１と接続される。レンズホルダ３は、支持体５２、突起３３Ａ、３４Ａ、３５Ａ、壁部材５１を有する。突起３３Ａ、３４Ａ、３５Ａは、レンズホルダ３から突出している。突起３３Ａは、第１サスペンションワイヤ２３Ａの一方の端部とトラッキングコイルの導電線の一方の端部４３１とを支持する。突起３４Ａは、第２サスペンションワイヤ２４Ａの一方の端部とトラッキングコイルの導電線の一方の端部４１１とを支持する。突起３５Ａは、第３サスペンションワイヤ２５Ａの一方の端部とフォーカスコイル４３Ａの導電線の他方の端部４３２とを支持する。支持体５２は、例えば第２サスペンションワイヤ２４Ａの長手方向の突起３４Ａから離れた位置において、第２サスペンションワイヤ２４Ａが挿通されるようにレンズホルダ３から突出する。壁部材５１は、接着剤５６が突起３４Ａ側に向かって一定距離以上流れるのを防止するために、支持体５２と突起３４Ａとの間に設けられる。尚、接着剤５６は、支持体５２に対して例えば第２サスペンションワイヤ２４Ａが固定されるように支持体５２における突起３４Ａ側の面に塗布される。これらの構成により、第２サスペンションワイヤ２４Ａの一方の端部とトラッキングコイルの導電線の一方の端部４１１との接続部分（半田５４が設けられている部分）に対して、接着剤５６が付着するのが防止される。従って、例えば、第２サスペンションワイヤ２４Ａとトラッキングコイルの導電線との間の電気抵抗に基づいて、第２サスペンションワイヤ２４Ａの一方の端部とトラッキングコイルの導電線の一方の端部４１１との半田５４による接続を、確実に確認するこができる。
【００９７】
又、壁部材５１（図５）は、接着剤５６が突起３４Ａに向かって一定距離以上流れるのを堰き止めている。トラッキング方向における壁部材５１の高さＨ２は、トラッキング方向における側壁３１に対する第２サスペンションワイヤ２４Ａの高さＨ１よりも低くなっている。従って、壁部材５１と第２サスペンションワイヤ２４Ａとが接触するのが防止される。よって、例えば、壁部材５１に対して第２サスペンションワイヤ２４Ａとの接触を避けるための比較的複雑な構成（例えば、第２サスペンションワイヤ２４が挿通される挿通孔等）を設ける必要がない。壁部材５１の構成を比較的シンプルにすることができる。従って、製造が比較的容易な量産に適した対物レンズ駆動装置２００を提供することができる。又、第２サスペンションワイヤ２４Ａに対する壁部材５１の接触が防止されることになる。よって、例えば、第２サスペンションワイヤ２４Ａに対する壁部材５１の接触によって発生する力が、第２サスペンションワイヤ２４Ａの一方の端部とトラッキングコイルの導電線の一方の端部４１１との接続部分に加えられて、当該接続部分の接続強度が低下するのが防止されることになる。
【００９８】
又、壁部材５１Ｃ（図７）は、接着剤５６Ｃが突起３４Ａに向かって一定距離以上流れるのを堰き止めている。トラッキング方向における壁部材５１Ｃの高さＨ４は、第２サスペンションワイヤ２４Ａが挿通孔５１１に挿通されるように、トラッキング方向における側壁３１に対する第２サスペンションワイヤ２４Ａの高さＨ１よりも高くなっている。よって、例えば、接着剤５６Ｃの粘度が比較的小さくて、接着剤５６Ｃが比較的流れ易い場合でも、接着剤５６Ｃが突起３４Ａ側に向かって一定距離以上流れるのを確実に防止することができる。
【００９９】
又、壁部材５１Ｄ（図８）における突起３４Ａ側の第１面（＋Ｙ）は、当該第１面における略中央寄りの位置が突起３４Ａに近づくように、第２サスペンションワイヤ２４Ａの長手方向（Ｙ軸）及び壁部材５１Ｄが突出する方向（Ｘ軸）の双方と交差する方向（Ｚ軸）において湾曲している。従って、例えば、壁部材５１Ｄにおける第１面の面積を比較的広くすることができる。よって、接着剤５６Ｄの塗布量が比較的多いとき、例えば、接着剤５６Ｄが、壁部材５１Ｄを越えて突起３４Ａ側に流れることがある。この場合においても、接着剤５６Ｄは、比較的広い面積の壁部材５１Ｄの第１面に塗布されることになる。以上より、接着剤５６Ｄが突起３４Ａ側に一定距離以上流れるのを防止することができる。
【０１００】
又、壁部材５１Ｆ（図１０）における支持体５２側の第２面（−Ｙ）は、当該第２面における略中央寄りの位置が突起３４Ａに近づくように、壁部材５１Ｆが突出する方向（Ｘ軸）において湾曲している。従って、壁部材５１Ｆにおける第２面の面積を、比較的広くすることができる。よって、壁部材５１Ｆの第２面に対する接着剤５６Ｆの接着力を向上させて、接着剤５６Ｆが突起３４Ｆ側に一定距離以上流れ出すのを確実に防止することができる。
【０１０１】
又、台部材５１Ｂ（図６）と支持体５２は、互いに隙間無く形成される。支持体５２における支持孔５２Ａの周囲に接着剤５６Ｂを塗布するための、接着剤５６Ｂの塗布量を比較的少なくすることができる。従って、接着剤５６Ｂが突起３４Ａ側に流れ出す量を比較的少なくすることができる。従って、接着剤５６Ｂが突起３４Ａ側に向かって一定距離以上流れるのを防止することができる。又、接着剤５６Ｂは、台部材５１Ｂの天面（−Ｘ）に塗布される。従って、レンズホルダ３に対する接着剤５６Ｂの塗布が比較的容易となる。よって、レンズホルダ３に対する第２サスペンションワイヤ２４Ａの取り付けが容易となる。以上より、製造が容易な対物レンズ駆動装置２００を提供することができる。
【０１０２】
又、側壁３１Ｈ（図１２）における支持体５２と突起３４Ａとの間に凹部５１Ｈ（溝）が設けられることとしてもよい。支持体５２側から突起３４Ａ側に向かって流れ出した接着剤５６Ｈは、凹部５１Ｈ内に流れ込むことになる。よって、第２サスペンションワイヤ２４Ａの一方の端部とトラッキングコイルの導電線の一方の端部４１１との接続部分（半田５４が設けられている部分）に対して、接着剤５６Ｈが付着するのを防止することができる。
【０１０３】
尚、第１乃至第８実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１０４】
第８実施形態においては、側壁３１Ｈに対して凹部５１Ｈを設けることについて説明したがこれに限定されるものではない。例えば、側壁３１Ｈにおける凹部５１Ｈと突起３４Ａとの間に壁部材５１（第１実施形態）を設けることとしてもよい。この場合、接着剤５６Ｈが突起３４Ａ側に一定距離以上流れるのを、更に確実に防止することができる。
【０１０５】
第６実施形態においては、壁部材５１Ｆ（図１０）における支持体５２側の第２面が、当該第２面における略中央寄りの位置が突起３４Ａに近づくように、壁部材５１Ｆが突出する方向（Ｘ軸）において湾曲していることについて説明した、これに限定されるものではない。例えば、壁部材５１Ｆにおける支持体５２側の第２面が、当該第２面における略中央寄りの位置が突起３４Ａに近づくように、第２サスペンションワイヤ２４Ａの長手方向（Ｙ軸）及び壁部材５１Ｄが突出する方向（Ｘ軸）の双方と交差する方向（Ｚ軸）において湾曲することとしてもよい。
【符号の説明】
【０１０６】
３                    レンズホルダ
５                    光ディスク
２３Ａ、２３Ｂ        第１サスペンションワイヤ
２４Ａ、２４Ｂ        第２サスペンションワイヤ
２５Ａ、２５Ｂ        第３サスペンションワイヤ
３３Ａ、３４Ａ、３５Ａ  突起
４１Ａ、４１Ｂ        第１トラッキングコイル
４２Ａ、４２Ｂ        第２トラッキングコイル
４３Ａ、４３Ｂ        フォーカスコイル
５１Ｂ                台部材
５２                  支持体
５６、５６Ｂ、５６Ｃ、５６Ｄ、５６Ｆ、５６Ｇ、５６Ｈ  接着剤
５１、５１Ｃ、５１Ｄ、５１Ｆ、５６Ｇ  壁部材
１００                光ピックアップ装置
２００                対物レンズ駆動装置
３００                対物レンズ
【図１】
2014164772.tif 000003
【図２】
2014164772.tif 000004
【図３】
2014164772.tif 000005
【図４】
2014164772.tif 000006
【図５】
2014164772.tif 000007
【図６】
2014164772.tif 000008
【図７】
2014164772.tif 000009
【図８】
2014164772.tif 000010
【図９】
2014164772.tif 000011
【図１０】
2014164772.tif 000012
【図１１】
2014164772.tif 000013
【図１２】
2014164772.tif 000014